(57)【要約】【課題】  屋外等の砂があるような場所でホウキ等を使用し、枯葉等の回収したい大きなゴミと砂等の回収したくない小さなものを、チリトリに回収すると同時に分別できるようにする。【解決手段】  チリトリのチリ受け部を網状にし、網の目を通る砂等の小さなものをチリ受け部の下にある砂受け部で受けるようにし、砂受け部が開閉する構造にする。【選択図】  図１
2005349151.tif 000002
【特許請求の範囲】
【請求項１】
チリ受け部が網状になっており、網の目を通る小さなものをチリ受け部の下にある砂受け部で受けることができ、砂受け部が開閉可能な構造になっているチリトリ。
【請求項２】
チリ受け部が網状になっており、網の目を通る小さなものが落ちる構造になっているチリトリ。
【発明の詳細な説明】
【技術分野】
【０００１】  本発明は、チリトリのチリ受け部が網状になっており、網の目を通る小さなものをチリ受け部の下にある砂受け部で受けることができることにより、回収したい大きなゴミと砂等の回収したくない小さなものを、チリトリに回収すると同時に分別できるようにしたものである。また、砂受け部が開閉できることにより、チリトリの中にある回収したい大きなゴミと砂等の回収したくない小さなものを分別して捨てることができるようにしたものである。
【背景技術】
【０００２】  従来、チリ受け部が板状のチリトリしかなかったため、屋外等の砂があるような場所でホウキ等を使用し、チリトリでゴミを受ける際、回収したい大きなゴミと同時に砂等の回収したくない小さなものをチリトリに回収してしまっており、チリトリへの回収と同時に回収したい大きなゴミと回収したくない小さなものを分別することが不可能だった。
【発明の開示】
【発明が解決しようとする課題】
【０００３】  従来のチリトリには次のような欠点があった。
屋外等の砂があるような場所でホウキ等を使用し、チリトリでゴミを受ける際、ゴミだけでなく砂までチリトリの中に回収してしまっていた。その為、チリトリに溜まったものをゴミ箱に捨てる際、砂までゴミ箱に入ってしまい、砂の重さ分ゴミ箱が重くなってしまっていた。
本発明は、この欠点を除くためになされたものである。
【課題を解決するための手段】
【０００４】  チリトリのチリ受け部が網状になっており、網の目を通る小さなものをチリ受け部の下にある砂受け部で受けることができ、砂受け部が開閉可能な構造になっている。
本発明は、以上の構成によりなる、回収したい大きなゴミと砂等の回収したくない小さなものを分別できるチリトリである。
【発明の効果】
【０００５】  チリトリのチリ受け部が網状になっており、網の目を通る小さなものをチリ受け部の下にある砂受け部で受けることができるようになっている。それにより、屋外等の地面が砂の場所でホウキ等を使用し、枯葉をチリトリで回収した際、回収したい枯葉は網の上に残り、回収したくない砂は網の下の砂受け部に落ちる構造になっている。また、チリトリに枯葉と砂を回収後、砂受け部を開けることにより、砂のみを地面に戻すことができ、チリ受け部の網の上に残っている枯葉のみをゴミ箱に捨てることが可能になる。それにより、ゴミ箱に砂が入らず、ゴミ箱が不要に重くなることを防ぐことができる。
更に、チリトリの砂受け部を開けておき、砂受け部がない状態にし、屋外等の地面が砂の場所でホウキ等を使用し、枯葉と砂をチリトリで回収した際、砂はチリトリに回収と同時に地面戻すことができ、回収したい枯葉のみがチリトリの網の上に残る構造になっている。
【発明を実施するための最良の形態】
【０００６】  以下、発明の実施の形態について説明する。
チリトリのチリ受け部が網状になっており、網の目を通る小さなものをチリ受け部の下にある砂受け部で受けることができ、砂受け部が開閉可能な構造になっている。
本発明は以上のような構成で、これを使用する場合には、屋外等の地面が砂の場所でホウキ等を使用し、チリトリに枯葉と砂を回収後、砂受け部を開け、砂のみを地面に戻し、チリ受け部の網の上に残っている枯葉のみをゴミ箱に捨てる。
または、チリトリの砂受け部を開けておき、砂受け部がない状態にし、屋外等の地面が砂の場所でホウキ等を使用し、枯葉と砂をチリトリで回収後、砂はチリトリに回収と同時に地面に戻るので、チリ受け部の網の上に残っている枯葉のみをゴミ箱に捨てる。
【図面の簡単な説明】
【０００７】
【図１】      砂受け部を閉じた状態のチリトリを斜め上から見た図である。
【図２】      砂受け部を閉じた状態のチリトリの横からの断面図である。
【図３】      砂受け部を閉じた状態のチリトリの後ろからの断面図である。
【図４】      砂受け部を開けた状態のチリトリの後ろからの断面図である。
【符号の説明】
【０００８】    １  チリ受け部
２  砂受け部
３  チリ入り口
４  取っ手
【図１】
2005349151.tif 000003
【図２】
2005349151.tif 000004
【図３】
2005349151.tif 000005
【図４】
2005349151.tif 000006
【手続補正書】
【提出日】平成17年2月22日(2005.2.22)
【手続補正１】
【補正対象書類名】特許請求の範囲
【補正対象項目名】全文
【補正方法】変更
【補正の内容】
【特許請求の範囲】
【請求項１】
チリ受け部が網状になっており、網の目を通る小さなものをチリ受け部の下にある砂受け部で受けることができ、砂受け部が開閉可能な構造になっているチリトリ。
【請求項２】
チリ受け部が網状になっており、網の目を通る小さなものが落ちる構造になっているチリトリ。
【請求項３】
チリ受け部が網状になっており、網の目を通る小さなものが落ちる構造になっており、その網状のチリ受け部の上に板状のチリ受け部があり、板状のチリ受け部が開閉可能な構造になっているチリトリ。
【手続補正２】
【補正対象書類名】明細書
【補正対象項目名】０００１
【補正方法】変更
【補正の内容】
【０００１】  本発明は、チリトリのチリ受け部が網状になっており、網の目を通る小さなものをチリ受け部の下にある砂受け部で受けることができることにより、回収したい大きなゴミと砂等の回収したくない小さなものを、チリトリに回収すると同時に分別できるようにしたものである。また、砂受け部が開閉できることにより、チリトリの中にある回収したい大きなゴミと砂等の回収したくない小さなものを分別して捨てることができるようにしたものである。
または、チリ受け部が網状になっており、網の目を通る小さなものが落ちる構造になっており、その網状のチリ受け部の上に板状のチリ受け部があり、板状のチリ受け部が開閉できるようになっている。それにより、板状のチリ受け部を開けた状態では、回収したい大きなゴミと砂等の回収したくない小さなものを、チリトリに回収すると同時に分別できるようにしたものである。また、板状のチリ受け部を閉じた状態では、従来のチリトリと同様の使用を可能にしたものである。
【手続補正３】
【補正対象書類名】明細書
【補正対象項目名】０００４
【補正方法】変更
【補正の内容】
【０００４】  チリトリのチリ受け部が網状になっており、網の目を通る小さなものをチリ受け部の下にある砂受け部で受けることができ、砂受け部が開閉可能な構造になっている。
または、チリ受け部が網状になっており、網の目を通る小さなものが落ちる構造になっており、その網状のチリ受け部の上に板状のチリ受け部があり、板状のチリ受け部が開閉可能な構造になっている。
本発明は、以上の構成によりなる、回収したい大きなゴミと砂等の回収したくない小さなものを分別できるチリトリである。
【手続補正４】
【補正対象書類名】明細書
【補正対象項目名】０００５
【補正方法】変更
【補正の内容】
【０００５】  チリトリのチリ受け部が網状になっており、網の目を通る小さなものをチリ受け部の下にある砂受け部で受けることができるようになっている。それにより、屋外等の地面が砂の場所でホウキ等を使用し、枯葉をチリトリで回収した際、回収したい枯葉は網の上に残り、回収したくない砂は網の下の砂受け部に落ちる構造になっている。また、チリトリに枯葉と砂を回収後、砂受け部を開けることにより、砂のみを地面に戻すことができ、チリ受け部の網の上に残っている枯葉のみをゴミ箱に捨てることが可能になる。それにより、ゴミ箱に砂が入らず、ゴミ箱が不要に重くなることを防ぐことができる。
更に、チリトリの砂受け部を開けておき、砂受け部がない状態にし、屋外等の地面が砂の場所でホウキ等を使用し、枯葉と砂をチリトリで回収した際、砂はチリトリに回収と同時に地面戻すことができ、回収したい枯葉のみがチリトリの網の上に残る構造になっている。
または、チリ受け部を網状にし、その網状のチリ受け部の上に板状のチリ受け部を設け、板状のチリ受け部を開閉することができるようになっている。それにより、板状のチリ受け部を開け、チリ受け部を網状のみにした場合、屋外等の地面が砂の場所でホウキ等を使用し、枯葉と砂をチリトリで回収した際、砂はチリトリに回収と同時に地面戻すことができ、回収したい枯葉のみがチリトリの網の上に残る構造になっている。
更に、板状のチリ受け部を閉じた場合、チリ受け部は板状のみになるので従来のチリトリと同様に使用することができる。
【手続補正５】
【補正対象書類名】明細書
【補正対象項目名】０００６
【補正方法】変更
【補正の内容】
【０００６】    以下、発明の実施の形態について説明する。
▲１▼チリトリのチリ受け部が網状になっており、網の目を通る小さなものをチリ受け部の下にある砂受け部で受けることができ、砂受け部が開閉可能な構造になっている。
▲２▼チリ受け部が網状になっており、網の目を通る小さなものが落ちる構造になっており、その網状のチリ受け部の上に板状のチリ受け部があり、板状のチリ受け部が開閉可能な構造になっている。
本発明は以上のような構成で、▲１▼を使用する場合には、屋外等の地面が砂の場所でホウキ等を使用し、チリトリに枯葉と砂を回収後、砂受け部を開け、砂のみを地面に戻し、チリ受け部の網の上に残っている枯葉のみをゴミ箱に捨てる。
または、チリトリの砂受け部を開けておき、砂受け部がない状態にし、屋外等の地面が砂の場所でホウキ等を使用し、枯葉と砂をチリトリで回収後、砂はチリトリに回収と同時に地面に戻るので、チリ受け部の網の上に残っている枯葉のみをゴミ箱に捨てる。
▲２▼を使用する場合には、板状のチリ受け部を開け、チリ受け部を網状のみにしておき、屋外等の地面が砂の場所でホウキ等を使用し、枯葉と砂をチリトリで回収後、砂はチリトリに回収と同時に地面に戻るので、チリ受け部の網の上に残っている枯葉のみをゴミ箱に捨てる。
または、板状のチリ受け部を閉じ、従来のチリトリと同様に使用する。
【手続補正６】
【補正対象書類名】明細書
【補正対象項目名】０００７
【補正方法】変更
【補正の内容】
【０００７】
【図１】  チリ受け部が網状になっており、網の目を通る小さなものをチリ受け部の下にある砂受け部で受けることができるチリトリの砂受け部を閉じた状態を斜め上から見た図である。
【図２】  チリ受け部が網状になっており、網の目を通る小さなものをチリ受け部の下にある砂受け部で受けることができるチリトリの砂受け部を閉じた状態を横からの断面図である。
【図３】  チリ受け部が網状になっており、網の目を通る小さなものをチリ受け部の下にある砂受け部で受けることができるチリトリの砂受け部を閉じた状態を後ろからの断面図である。
【図４】  チリ受け部が網状になっており、網の目を通る小さなものをチリ受け部の下にある砂受け部で受けることができるチリトリの砂受け部を開けた状態を後ろからの断面図である。
【図５】  チリ受け部が網状になっており、その網状の上の板状のチリ受け部を開けた状態のチリトリの後ろからの断面図である。
【図６】  チリ受け部が網状になっており、その網状の上の板状のチリ受け部を閉じた状態のチリトリの後ろからの断面図である。
【手続補正７】
【補正対象書類名】明細書
【補正対象項目名】０００８
【補正方法】変更
【補正の内容】
【０００８】  １  チリ受け部
２  砂受け部
３  チリ入り口
４  取っ手
５  板状のチリ受け部
【手続補正８】
【補正対象書類名】図面
【補正対象項目名】図５
【補正方法】追加
【補正の内容】
【図５】
2005349151.tif 000007
【手続補正９】
【補正対象書類名】図面
【補正対象項目名】図６
【補正方法】追加
【補正の内容】
【図６】
2005349151.tif 000008